(57)【要約】【課題】天井レベルの測定を一人の作業員で簡単に行うことができ、また、天井のむくりを正確に検査することができる天井レベルの測定方法及び天井レベル測定用定規を提供する。【解決手段】天井（４）に固定される固定部（３）と、この固定部（３）より垂下される定規本体（２）とを備え、前記定規本体（２）には上下方向に沿った目盛り（１１）が設けられている天井レベル測定用定規（１）を、天井（４）より吊り下げて、その定規（１）の目盛り（１１）を読みとることで、天井レベルを測定するようにしている。【選択図】  図１
2004212251.tif 000002
【特許請求の範囲】
【請求項１】
天井より定規を吊り下げて、その定規の目盛りを読みとることで、天井レベルを測定するようにしたことを特徴とする天井レベルの測定方法。
【請求項２】
所定位置に設置した光線放出機より放出する水平方向の光線を前記定規に当てて、その光線が当たった位置の前記定規の目盛りを読みとるようにした請求項１記載の天井レベルの測定方法。
【請求項３】
天井の複数箇所に吊り下げた前記定規の目盛りを読みとって、それら目盛りを比較することで、天井のむくりを検査するようにした請求項１又は２記載の天井レベルの測定方法。
【請求項４】
前記光線としてレーザー光を用いるようにした請求項１乃至３のいずれかに記載の天井レベルの測定方法。
【請求項５】
金属に磁着可能な固定用磁石体を前記定規上端部に設けて、天井の金属部に前記固定用磁石体を磁着させることで、前記定規を天井より吊り下げるようにした請求項１乃至４のいずれかに記載の天井レベルの測定方法。
【請求項６】
天井に固定される固定部と、この固定部より垂下される定規本体とを備えており、前記定規本体には上下方向に沿った目盛りが設けられていることを特徴とする天井レベル測定用定規。
【請求項７】
前記定規本体は、その上端部において前記固定部に枢着されている請求項６記載の天井レベルの測定用定規。
【請求項８】
前記固定部には、金属に磁着可能な固定用磁石体が備えられている請求項６又は７記載の天井レベルの測定用定規。
【発明の詳細な説明】
【０００１】
【発明の属する技術分野】
この発明は、建築後の大工検査時における天井レベルの測定方法及び天井レベル測定用定規に関する。
【０００２】
【従来の技術】
従来行われていた天井レベルの測定方法として、図５に示すように、定規（２１）（２１）を用いて床（５）から天井（４）までの高さ（Ｌ）を測定する方法があった。そのほかにも、例えば特許文献１に記載されたような内法スケールを用いて、床から天井までの高さ測定を行うこともあった。
【０００３】
また、図６に示す測定方法では、一人の作業員（２０）が定規（２１）を持つことによって、定規（２１）の上端が天井（４）に当接した状態に保っておき、図示しない別の作業員が、  図示しないレベル測定器を用いて  所定の高さに位置する定規（２１）の目盛りを読みとるようにしていた。
【０００４】
【特許文献１】
実開平５−９２６０３号公報
【０００５】
【発明が解決しようとする課題】
しかし、図５に示す測定方法では、天井レベルを複数箇所で測定して天井（４）のむくり、すなわち水平度を検査する場合に、各測定箇所における測定が床（５）の不陸に影響されるため、測定箇所による測定誤差が生じ、正確な天井のむくり検査を行うことができないという不具合があった。
【０００６】
また、図６に示す測定方法では、定規（２１）を持っておく作業員（２０）と、レベル測定器で測定した定規（２１）の目盛りを読みとる作業員とを必要とするため、一連の測定作業を一人の作業員によって行うことができず、作業性が悪かった。
【０００７】
そこで、この発明は、上記の不具合を解消して、天井レベルの測定を一人の作業員で簡単に行うことができ、また、天井のむくりを正確に検査することができる天井レベルの測定方法及び天井レベル測定用定規を提供する。
【０００８】
【課題を解決するための手段】
上記の課題を解決するため、この発明における天井レベルの測定方法は、天井より定規を吊り下げて、その定規の目盛りを読みとることで、天井レベルを測定するようにしたことを特徴とする。
【０００９】
また、所定位置に設置した光線放出機より放出する水平方向の光線を前記定規に当てて、その光線が当たった位置の前記定規の目盛りを読みとるようにしている。
【００１０】
さらに、  天井の複数箇所に吊り下げた前記定規の目盛りを読みとって、それら目盛りを比較することで、天井のむくりを検査するようにしており、前記光線としてレーザー光を用いるようにしている  。
【００１１】
またさらに、金属に磁着可能な固定用磁石体を前記定規上端部に設けて、天井の金属部に前記固定用磁石体を磁着させることで、前記定規を天井より吊り下げるようにしている。
【００１２】
そして、この発明における天井レベル測定用定規は、天井に固定される固定部と、この固定部より垂下される定規本体とを備えており、前記定規本体には上下方向に沿った目盛りが設けられていることを特徴とする。
【００１３】
また、前記定規本体は、その上端部において前記固定部に枢着されており、前記固定部には、金属に磁着可能な固定用磁石体が備えられている。
【００１４】
【発明の実施の形態】
以下、この発明の実施形態を図面に基づいて詳細に説明する。（１）は、この発明の一実施形態に係る天井レベル測定用定規であり、天井（４）に固定される固定部（３）と、この固定部（３）より垂下される定規本体（２）とを備えている。
【００１５】
定規本体（２）は、例えばアルミニウム製で、長尺の薄板状に形成されており、その表面に上下方向に沿った目盛り（１１）が記されている。この目盛り（１１）は、固定部（３）の上端を基準として、下方へ向かうに連れて値が大きくなっている。
【００１６】
そして、この定規本体（２）の上端には、定規本体（２）を固定部（３）に連結するための連結体（９）が取り付けられている。この連結体（９）は、例えば短円柱状に形成されていて、その下端部には、スリット（１９）が形成されている。そして、このスリット（１９）に定規本体（２）の上端を差し込んだ状態で、連結体（９）の側方から打ち込んだピン（１７）を連結体（９）及び定規本体（２）に貫通させることで、定規本体（２）の上端に連結体（９）が取り付けられている。
【００１７】
固定部（３）は、図２に示すように、連結体（９）を挟むようにして対向配置された一対の垂直片（１３）（１３）と、これら垂直片（１３）（１３）の上端間を連結する水平片（１４）と、この水平片（１４）の上面に取り付けられた固定用磁石体（１２）とからなっている。
【００１８】
そして、垂直片（１３）（１３）間に差し渡された横軸（１８）が、連結体（９）の上端を貫通し、これによって、連結体（９）が横軸（１８）周りに回転自在に支持されている。すなわち、定規本体（２）が固定部（３）に対して枢着された状態となっている。
【００１９】
固定用磁石体（１２）は、金属に対して磁着可能な永久磁石からなり、例えば短円柱状に形成されている。そして、測定用定規（１）は、図３及び図４に示すように、固定用磁石体（１２）が天井（４）の金属部（８）に磁着されることで、天井（４）より吊り下げられるようになっている。なお、固定用磁石体（１２）は、必ずしも永久磁石でなくとも、十分な磁気を帯びた磁性体であれば良い。
【００２０】
このようにして、この定規（１）は、磁力によって天井（４）に固定されるので、その固定作業を極めて容易に行うことができ、作業性を向上させている。また、定規（１）自体に、天井（４）へ固定するための複雑な構造を設ける必要がないため、生産性に優れている。
【００２１】
天井（４）の金属部（８）は、具体的には、天井材（６）を鋼製の天井野縁（７）に固定するためのビス（８）である。このビス（８）は、天井材（６）を上下方向に貫通するように下側から打ち込まれて、例えば断面ロ字形の天井野縁（７）に留め付けられるようになっている。そして、このようにして天井（４）に固定されたビスにおいて、天井（４）面に露出する頭部分が前記金属部（８）となっている。
【００２２】
ただし、天井野縁（７）は必ずしも鋼製でなくとも、木製であっても良く、金属部（８）は、ビス以外の金属製固定具であっても良い。また、固定用磁石体（１２）と、鋼製の天井野縁（７）とを天井材（６）を挟んで磁着させることも考えられる。すなわち、金属部（８）は、固定用磁石体（１２）と磁着できるのであれば、必ずしも天井（４）面に露出している必要はないものである。
【００２３】
また、定規本体（２）は、その上端部において固定部（３）に枢着されているため、水平でない天井（４）に対して固定部（３）が傾いた状態で定規（１）を設置する場合でも、定規本体（２）を重力方向に沿った状態で保持できるようになっており、天井レベルの測定を正確に行うことができるようになっている。
【００２４】
以下において、この発明の一実施形態に係る天井レベルの測定方法について説明する。まず、図１に示すように、光線放出機（１０）を所定箇所に設置して、天井レベル測定用定規（１）を測定箇所において天井（４）より吊り下げる。
【００２５】
光線放出機（１０）は、例えば三脚（１６）によって一定の高さに保持しつつ、レーザー光（１５）を水平方向に放出できる状態で設置する。定規（１）は、上述したように上端部に備えた固定用磁石体（１２）を、天井（４）の金属部（８）に磁着させることで、天井（４）より吊り下げるようにする。そして、このように設置した定規（１）に対して、光線放出機（１０）より放出する水平方向のレーザー光（１５）を当てるようにする。
【００２６】
このレーザー光（１５）が当てられた位置の定規（１）の目盛り（１１）を読みとることで、レーザー光（１５）からその測定箇所における天井（４）までの高さを計測値として得ることができる。そして、この計測値と、予め計測しておいたレーザー光（１５）の高さレベルとを加算することで、天井レベルの測定値を求めることができる。
【００２７】
この実施形態では、定規（１）に当てる光線（１５）として、減衰や拡散が起こりにくいレーザー光を用いているため、多少離れた位置に設置した定規（１）に照射しても、明確に目盛り（１１）を読みとることができ、測定の正確性を向上させている。ただし、測定に用いる光線（１５）は、光線（１５）を当てた目盛り（１１）を確実に読みとることができるのであれば、レーザー光以外の可視光線であっても良い。
【００２８】
以上のように、この方法では、定規（１）を天井（４）より吊り下げておいた状態で、定規（１）の目盛り（１１）を読みとるようにしているため、その読みとり作業中において、別の作業員が定規（１）を正確な位置で保持しておく手間を省くことができるようになっている。すなわち、一連の測定作業を一人で行うことができるようになっており、作業性の向上を図ることができるようになっている。
【００２９】
また、定規（１）を天井（４）の複数箇所に吊り下げて同様の計測を行い、それぞれの計測値を比較することで、天井のむくりの程度を検査できるようになっている。例えば、天井（４）における中央付近と隅付近とにおいて、上記方法で天井レベルを計測して、それぞれの計測値の誤差を求めることで、水平な天井（４）については、天井（４）が精度良く水平に施工されているかどうかを検査することができ、むくりのある天井（４）については、そのむくりが正確に表れているかどうかを検査することができるようになっている。
【００３０】
この場合は、複数の定規（１）を各測定箇所に吊り下げた状態で、光線放出機（１０）より一定高さのレーザー光（１５）を順次当てていき、それぞれレーザー光（１５）が当てられた位置の定規（１）（１）の目盛り（１１）（１１）を読みとるようにする。ただし、複数の定規（１）（１）を用いなくても、１つの定規（１）を各測定箇所に順次設置して、同様の計測を行うようにしても良い。
【００３１】
このように、いずれの測定箇所に設置する定規（１）に対しても、同一箇所に設置した光線放出機（１０）より一定高さのレーザー光（１５）を当てるようにしているため、たとえ床（５）の高さレベルが測定箇所によって異なっている場合でも、そのような床（５）の不陸に影響されることなく、天井（４）のむくりを正確に検査できるようになっている。
【００３２】
そして、レーザー光（１５）を当てた位置におけるそれぞれの目盛り（１１）（１１）を読みとって得られた各計測値を比較して、これら各計測値の誤差の大きさを確認することによって、天井（４）のむくりの程度を検査することができる。
【００３３】
すなわち、水平な天井（４）については、各計測値の誤差が小さいほど精度良く水平に施工されていることが確認でき、むくりのある天井（４）については、各計測値の誤差の大きさによって、そのむくりの度合いを確認することができるようになっている。
【００３４】
なお、ここではそれぞれの計測値自体を比較しているが、各計測値と、予め計測しておいたレーザー光（１５）の高さレベルとを加算して得られるそれぞれの天井レベルの測定値同士を比較して、これら各測定値の誤差の大きさを確認するようにしても良い。
【００３５】
この発明は、上記実施形態に限定されるものではなく、この発明の範囲内で上記実施形態に多くの修正及び変更を加え得ることは勿論である。
【００３６】
例えば、光線放出機（１０）の代わりにレベル測定器を用いて、各測定箇所に設置した定規（１）の目盛り（１１）を、レベル測定器によって一定の高さより読みとるようにしても良い。
【００３７】
【発明の効果】
以上の説明から明らかなように、この発明では、定規を天井より吊り下げておいた状態で、定規の目盛りを読みとるようにしているため、その読みとり作業中において、別の作業員が定規を正確な位置で保持しておく手間を省くことができるようになっている。すなわち、一連の測定作業を一人で簡単に行うことができるようになっており、作業性の向上を図ることができるようになっている。
【００３８】
また、天井のむくりを測定する場合、いずれの測定箇所に設置する定規に対しても、同一箇所に設置した光線放出機より一定高さの光線を当てるようにしているため、たとえ床の高さレベルが測定箇所によって異なっている場合でも、そのような床の不陸に影響されることなく、正確に測定できるようになっている。
【００３９】
さらに、定規に当てる光線として、減衰や拡散が起こりにくいレーザー光を用いることで、多少離れた位置に設置した定規に照射しても、明確に目盛りを読みとることができるようになっており、測定の正確性を向上させている。
【００４０】
またさらに、定規を磁力によって天井に固定しているため、その固定作業は極めて容易であり、作業性を向上させている。しかも、定規自体は、天井へ固定するための複雑な構造を必要としないため、生産性に優れており、コストの低減化を図ることが可能となっている。
【００４１】
加えて、定規本体は、その上端部において固定部に枢着されているため、水平でない天井に対して固定部が傾いた状態で定規を設置する場合でも、定規本体を重力方向に沿った状態で保持できるようになっており、天井レベルの測定を正確に行うことができるようになっている。
【図面の簡単な説明】
【図１】この発明の一実施形態に係る天井レベルの測定方法を示す模式図である。
【図２】天井レベル測定用定規の上端部を示す拡大斜視図である。
【図３】天井レベル測定用定規の設置状態を示す正面図である。
【図４】同じくその側面図である。
【図５】従来の天井レベルの測定方法を示す模式図である。
【図６】別の従来の天井レベルの測定方法を示す模式図である。
【符号の説明】
（１）  天井レベル測定用定規
（２）  定規本体
（３）  固定部
（４）  天井
（８）  金属部
（１０）  光線放出機
（１１）  目盛り
（１２）  固定用磁石体
（１５）  光線
【図１】
2004212251.tif 000003
【図２】
2004212251.tif 000004
【図３】
2004212251.tif 000005
【図４】
2004212251.tif 000006
【図５】
2004212251.tif 000007
【図６】
2004212251.tif 000008